(57)【特許請求の範囲】
【請求項１】
光路に挿抜可能な光学系と、
絞りと、
前記絞りの開口量を変更する駆動部と、
前記光学系の挿入による明るさの変化を補正するように前記駆動部によって前記絞りの開口量を変更するアイリス補正機能の有効または無効を設定する設定部と、
前記アイリス補正機能が有効である場合にアイリス補正情報を生成する制御部と、
カメラ装置と通信する通信部と、
を有し、
前記通信部は、前記アイリス補正情報と、前記アイリス補正機能により変更してなる前記絞りの開口量に関する情報とを前記カメラ装置へ送信する、
ことを特徴とするレンズ装置。
【請求項２】
前記アイリス補正情報は、前記アイリス補正機能における補正量に関する情報であることを特徴とする請求項１に記載のレンズ装置。
【請求項３】
前記絞りの開口量を検出する検出手段を有し、
前記アイリス補正情報は、前記アイリス補正機能において前記絞りの開口量を制御する指令値に加算された補正量を、前記検出手段によって検出された前記絞りの開口量を示す値から減算して得られた情報である、
ことを特徴とする請求項１に記載のレンズ装置。
【請求項４】
請求項１乃至３のいずれか１項に記載のレンズ装置と、
前記レンズ装置によって形成された光学像を受光する撮像素子と、
を有することを特徴とする撮像装置。
【発明の詳細な説明】
【技術分野】
【０００１】
本発明は、レンズ装置に関し、特にレンズ装置のアイリス制御の制御方法の切換えを行うレンズ装置及びそれを有する撮像装置に関するものである。
【背景技術】
【０００２】
一般に、撮影、特にテレビ撮影等に用いられる撮像装置において、アイリスの電動操作でレンズ系全体の明るさを調整する方法として、リモートアイリス制御（遠隔手動操作による制御）とオートアイリス制御（自動制御）がある。
【０００３】
リモートアイリス制御は、ユーザ自身がカメラ装置若しくはコントローラーでアイリス値を設定し、ユーザが設定したアイリス値になるようにアイリスの制御信号を生成する方法である。オートアイリス制御は、被写体の明るさが一定になるように、基準となる明るさの信号と現在の像信号を比較し、得られた差分信号を基にアイリスの制御信号を生成し、自動でアイリスを制御する方法である。
【０００４】
レンズ装置がリモートアイリス制御の指令を受信した場合、ユーザのアイリス値設定操作への高い応答性を実現するため、レンズ装置はアイリスの調整ゲインを高く設定する。また、オートアイリス制御の指令を受信した場合、ハンチング等起こさず滑らかに明るさを自動調整するため、レンズ装置はアイリスの調整ゲインを低く設定する。
【０００５】
例えば特許文献１では、カメラ装置のオート／リモート選択スイッチから、リモートアイリスに設定した場合、アイリスアンプのゲインは高い方の値に設定、オートアイリスに設定した場合、ゲインは低い方の値に設定される技術が開示されている。
【０００６】
また、従来、レンズ系の一部にエクステンダーを内蔵し、このエクステンダーを挿抜させて全系の焦点距離を変化させる方法がある。エクステンダーを挿入した場合、挿入する前に比べレンズ系全体の明るさが低下するため、カメラ装置からのアイリス指令位置や、カメラ装置へのアイリス開口位置情報が同じにも関わらず、エクステンダー挿入前後でレンズ系全体の明るさが異なってしまう。この明るさの低下分を、アイリスを制御することによって補正することで、エクステンダー挿入前後でもレンズ系全体の明るさを同じにする、レンズ装置のアイリス補正技術がある。
【０００７】
特許文献２では、エクステンダー挿入による明るさの低下分、即ちＦ値の補正分だけ絞り値の動作範囲が狭くなるのを防ぐため、カメラ装置がリモートアイリス制御の場合レンズ装置は補正を行い、オートアイリス制御の場合にレンズ装置は補正を無効とする技術が開示されている。
【先行技術文献】
【特許文献】
【０００８】
【特許文献１】特許第４０８８９４３号公報
【特許文献２】特公平８−３３５６６号公報
【発明の概要】
【発明が解決しようとする課題】
【０００９】
しかしながら、上述の特許文献１に開示された従来技術では、カメラ装置からオートアイリス制御の指令を受信した場合、レンズ装置はアイリスの調整ゲインを低く設定するため、応答性の高いオートアイリス制御を実現することはできない。
【００１０】
また、応答性の高いリモートアイリス制御の指令を用い、カメラ装置がオートアイリス制御と同等の制御を行おうとしても、特許文献２に開示された従来技術より、アイリス補正が有効となる。その結果、アイリス制御指令位置とアイリス開口位置情報に補正分の乖離が発生する。この補正分の乖離により、カメラ装置はアイリス制御指令位置に駆動できていないと誤認識してしまい、正しくアイリス制御が行えなくなる。このため、上記方法でも応答性の高いオートアイリス制御を実現することはできない。
【００１１】
そこで、本発明の目的は、例えば、オートアイリス制御の応答性の点で有利なレンズ装置を提供することである。
【課題を解決するための手段】
【００１２】
上記目的を達成するために、本発明のレンズ装置は、光路に挿抜可能な光学系と、絞りと、前記絞りの開口量を変更する駆動部と、前記光学系の挿入による明るさの変化を補正するように前記駆動部によって前記絞りの開口量を変更するアイリス補正機能の有効または無効を設定する設定部と、前記アイリス補正機能が有効である場合にアイリス補正情報を生成する制御部と、カメラ装置と通信する通信部と、を有し、前記通信部は、前記アイリス補正情報と、前記アイリス補正機能により変更してなる前記絞りの開口量に関する情報とを前記カメラ装置へ送信する、ことを特徴とする。
【発明の効果】
【００１３】
本発明によれば、例えば、オートアイリス制御の応答性の点で有利なレンズ装置を提供することができる。
【図面の簡単な説明】
【００１４】
【図１】実施例１における撮像装置のブロック図である。
【図２】実施例１におけるレンズ装置が、アイリス制御指令値を受けてアイリス開口位置情報とアイリス補正情報を出力する処理を示すフローチャート図である。
【図３】実施例１におけるカメラ装置がオートアイリス制御を行う処理を示すフローチャート図である。
【図４】実施例２における撮像装置のブロック図である。
【図５】実施例２におけるレンズ装置が、アイリス制御指令値を受けてアイリス開口位置情報とアイリス補正情報を出力する処理を示すフローチャート図である。
【発明を実施するための形態】
【００１５】
以下に、本発明の好ましい実施形態を、添付の図面に基づいて詳細に説明する。図１は、本発明の実施形態にかかわる構成ブロック図である。
【実施例１】
【００１６】
以下、図１〜３を参照して、本発明の第１の実施例による、レンズ装置について説明する。図１は、本発明の実施例１における撮像装置のブロック図である。図１において、１００はレンズ装置、２００はレンズ装置１００に、外部の装置として接続されるカメラ装置である。レンズ装置１００と、該レンズ装置により形成される光学像を受光する撮像素子を有するカメラ装置２００により、本発明のレンズ装置の効果を享受する撮像装置を構成する。
【００１７】
レンズ装置１００及び、カメラ装置２００について説明する。
【００１８】
レンズ装置１００には、通信部１０１、アイリス補正切替部１０２、アイリス補正機能設定部１０３、アイリス駆動部１０４が、構成される。
なお、アイリス補正とは、エクステンダーやフィルタ等の光路へ挿抜可能な光学系を光路へ挿入することによる前記光学系の挿抜前後でのレンズ系全体の明るさの変化を、アイリス（可変絞り）の開口量を変化させて抑制するようにアイリス駆動部を制御する技術である。
【００１９】
通信部１０１は、カメラ装置２００と通信し、アイリス開口位置情報とアイリス補正状態、アイリス補正量をそれぞれ別の信号として出力する。また、アイリス制御指令値をアイリス駆動部１０４に出力する。アイリス開口位置情報、アイリス補正状態、アイリス補正量については後述する。
【００２０】
アイリス補正切替部１０２は、アイリス補正機能設定部１０３から入力されるレンズ装置のアイリスの補正機能設定情報、及び、不図示のレンズエクステンダーの挿抜状態からアイリス補正がなされている状態であるか否か（有効／無効）の判断を行う。その判断結果に基づき、アイリス補正機能が有効（ＯＮ）となっているか、無効（ＯＦＦ）となっているを示すアイリス補正状態を変更し、どれくらい補正を行うかを示すアイリスの補正量を生成する。また、通信部１０１と、アイリス駆動部１０４と接続されており、アイリス補正情報である、アイリス補正状態と、アイリス補正量を出力する。なお、アイリス補正量の詳細については後述する。
【００２１】
アイリス補正機能設定部１０３は、不図示のアイリスの補正設定操作部材に基づき、アイリス補正機能を有効とするか無効とするかを判断する為の、補正機能設定情報を生成し、アイリス補正切替部１０２に出力する。
【００２２】
アイリス駆動部１０４は、アイリス制御指令値に基づいて、不図示のアイリスを駆動する。この時、アイリス補正状態＝ＯＮならば、アイリス制御指令値にアイリス補正量を加算し、不図示のアイリスを駆動する。また、現在のアイリス開口の程度を示すアイリス開口位置情報を通信部１０１に出力する。
【００２３】
このように、アイリス補正機能設定部１０３、アイリス補正切替部１０２、アイリス駆動部１０４によって、アイリス補正機能を実現するための制御部を構成する。
【００２４】
カメラ装置２００は、アイリス開口位置情報から、カメラ装置２００が所望する光量となるようにアイリス制御指令値を生成する。また、生成したアイリス制御指令値をレンズ装置１００の通信部１０１に出力する。この時、アイリス補正状態＝ＯＮであれば、現在のアイリス開口位置情報にアイリス補正量を減算した結果を新たにアイリス開口位置情報として設定する。また、アイリス補正状態＝ＯＦＦであれば、減算は行わない。
【００２５】
このように構成することで、カメラ装置２００からのアイリス制御指令値は、通信部１０１を介して、アイリス駆動部１０４へ入力することが可能となる。また、アイリス駆動部１０４は入力されたアイリス制御指令値に従って不図示のアイリスを駆動し、アイリス開口位置情報を生成する。また、レンズ装置１００からの開口位置情報及び、アイリス補正情報であるアイリス補正状態とアイリス補正量は、通信部１０１を介して、カメラ装置２００へ入力することが可能となる。従って、レンズ装置１００とカメラ装置２００は相互に情報を交換することが可能となる。
【００２６】
次にアイリス開口位置情報について説明する。レンズ装置１００に備えるアイリスは、全閉口から全開口まで任意に開閉する事が可能である。どの程度開口しているかを数値範囲で表現したものをアイリス開口位置と言い、現在のアイリス開口位置を示す情報をアイリス開口位置情報という。
【００２７】
次にアイリス制御指令値について説明する。カメラ装置２００は、所望の光量を得るためにレンズ装置１００のアイリスを制御する。この時、どの程度開口したいかをアイリス開口位置を使って制御し、その時のアイリス開口位置をアイリス制御指令値という。そのため、カメラ装置２００が制御したいアイリス開口位置と、レンズ装置１００が現在のアイリス開口位置が同じであれば、アイリス制御指令値とアイリス開口位置情報は同一の値となる。
【００２８】
次にアイリス補正量について説明する。レンズ装置１００にエクステンダーレンズ、フィルタ等の光路に挿抜可能な光学系を挿入するとレンズ全体の光量が低下する。アイリス補正は、この低下する光量分だけレンズ装置を制御して、アイリスの開口量を変化させて（開口させて）光量を上昇させる。この時、どのくらいアイリスを開口させるかをアイリス補正量といい、アイリス補正する前後のアイリス開口位置の差分値で表す。従って、レンズ装置１００は、カメラ装置２００からのアイリス制御指令値にアイリス補正量を加算することで、エクステンダーレンズが挿入されても光量を低下させないアイリス制御が可能となる。一方、カメラ装置２００は、レンズ装置１００からのアイリス開口位置情報から、アイリス補正量を減算することで、アイリス補正されなかった場合のアイリス開口位置情報を知ることができる。
【００２９】
次に、図２のフローチャートを参照して、第１の実施例におけるレンズ装置１００がカメラ装置２００からアイリス制御指令値を受けて、アイリス開口位置情報とアイリス補正状態とアイリス補正量を出力する処理について説明する。この処理は、レンズ装置１００に格納されたコンピュータプログラムに従って行われる。
【００３０】
ステップＳ２０１では、アイリス補正切替部１０２が、アイリス補正機能が有効か判断し、有効ならばステップＳ２０２へ進み、無効であれば、ステップＳ２０４へ進む。
ここでアイリス補正切替部１０２は、アイリス補正機能設定部１０３から入力されたレンズ装置のアイリス補正機能設定情報が有効で、かつ不図示のエクステンダーレンズが挿入されている場合にアイリス補正機能有効と判断する。
【００３１】
ステップＳ２０２では、アイリス補正切替部１０２がアイリス補正状態をＯＮに設定し、アイリス補正状態を通信部１０１とアイリス駆動部１０４へ出力して、ステップＳ２０３へ進む。
【００３２】
ステップＳ２０３では、アイリス補正切替部１０２がアイリス補正量を生成し、通信部１０１とアイリス駆動部１０４へ出力して、ステップＳ２０５へ進む。
【００３３】
ステップＳ２０４では、アイリス補正切替部１０２が、アイリス補正状態をＯＦＦに設定し、アイリス補正状態を通信部１０１とアイリス駆動部１０４へ出力して、ステップＳ２０４へ進む。
【００３４】
ステップＳ２０５では、アイリス駆動部１０４が、アイリス補正状態＝ＯＮであれば、ステップＳ２０６へ進み、アイリス補正状態＝ＯＦＦであれば、ステップＳ２０７へ進む。
【００３５】
ステップＳ２０６では、アイリス駆動部１０４が、アイリス制御指令値にアイリス補正量を加算して、ステップＳ２０７へ進む。
【００３６】
ステップＳ２０７では、アイリス駆動部１０４が、アイリス制御指令値に基づいて、不図示のアイリスを駆動し、ステップＳ２０８へ進む。
【００３７】
ステップＳ２０８では、アイリス駆動部１０４が、ステップＳ２０７で駆動した後のアイリス開口位置に基づくアイリス開口位置情報を生成し、通信部１０１へ出力して、ステップＳ２０９へ進む。
【００３８】
ステップＳ２０９では、通信部１０１が、ステップ２０２で設定したアイリス補正状態と、ステップ２０３で生成したアイリス補正量と、ステップＳ２０８で生成したアイリス開口位置情報を、カメラ装置２００へ出力する。
【００３９】
以上のフローチャートにより、レンズ装置１００が、カメラ装置２００からのアイリス制御指令値を受けて、アイリスを駆動する。また、アイリス補正状態に応じて、アイリス補正量を生成し、アイリス制御指令値にアイリス補正量を加算することで、アイリス補正を行う。その後、生成したアイリス開口位置情報と、アイリス補正情報であるアイリス補正状態とアイリス補正量とをカメラ装置２００へ出力することが可能となる。
【００４０】
次に、図３のフローチャートを参照して、カメラ装置２００が、レンズ装置１００から入力されるアイリス開口位置情報と、アイリス補正状態と、アイリス補正量を用いて、アイリス制御指令値を生成し、オートアイリス制御を行う事が可能であることを説明する。この処理は、カメラ装置２００に格納されたコンピュータプログラムに従って行われる。
【００４１】
ステップＳ３０１では、アイリス補正状態＝ＯＮであるか判断し、ＯＮであればステップＳ３０２へ進み、ＯＦＦであればステップＳ３０３へ進む。
【００４２】
ステップＳ３０２では、アイリス開口位置情報から、アイリス補正量を減算して、ステップＳ３０３へ進む。
【００４３】
ステップＳ３０３では、アイリス開口位置情報をアイリス制御指令値に設定して、ステップＳ３０４へ進む。
【００４４】
ステップＳ３０４では、カメラ装置２００が所望する光量よりも明るくしたいか否かを判断する。例えば、カメラ装置２００が持つ不図示の光センサなどを用いて、光量を測定し、所望する光量であるか判断する。明るくしたければステップＳ３０５へ進み、そうでなければステップＳ３０６へ進む。
【００４５】
ステップＳ３０５では、カメラ装置２００が得られる光量を増加させるため、現在のアイリス制御指令値を加算した新たなアイリス制御指令値を設定して、ステップＳ３０８へ進む。
【００４６】
ステップＳ３０６では、カメラ装置２００が所望する光量よりも暗くしたいか否かを判断する。暗くしたければステップＳ３０７へ進み、そうでなければステップＳ３０８へ進む。
【００４７】
ステップＳ３０７では、カメラ装置２００が得られる光量を減少させるため、現在のアイリス制御指令値を減算した新たなアイリス制御指令値を設定して、ステップＳ３０８へ進む。
【００４８】
ステップＳ３０８では、レンズ装置１００へ、アイリス制御指令値を出力し、処理を終了する。
【００４９】
以上のフローチャートにより、カメラ装置２００がアイリス開口位置情報と、アイリス補正状態とアイリス補正量を用いて、アイリス制御指令値を生成し、レンズ装置１００へ出力することで、オートアイリス制御を行うことが可能となる。
【００５０】
なお、実施例１（ステップＳ２０９）においては、アイリス補正状態と、アイリス補正量と、アイリス開口位置情報とが、レンズ装置１００の通信部１０１からカメラ装置２００に出力されることを例示した。しかし、本発明はこれに限定されることはない。レンズ装置１００からカメラ装置２００にアイリス補正量だけが出力されるようにしても、本発明の効果を享受することができる。また、レンズ装置１００からカメラ装置２００にアイリス補正状態（アイリス補正されている状態か否かの情報）のみが出力される場合であっても本発明の効果を享受できる場合もある。例えば、レンズ装置の、光路に挿抜可能な可動光学部材が挿抜することによる明るさへの影響量が、予めカメラ装置で認識されている状態であれば、カメラ装置はアイリス補正状態を受信することで十分だからである。したがって、本発明のレンズ装置は、外部のアイリス制御の指令元であるカメラ装置に対して、アイリス補正状態及びアイリス補正量の少なくともいずれか一方を出力する構成を有するものである。
【００５１】
以上、ブロック図およびフローチャートで説明したとおり、実施例１に示す撮像装置は、アイリス補正情報によって、アイリス制御指令値とアイリス開口位置情報が乖離しても、アイリス制御指令位置に駆動できていないと誤認識することはない。したがって、カメラ装置は、一般に高いゲインが設定されているリモートアイリス制御回路を用いて、応答性の高いオートアイリス制御を可能とするように構成することができる。
【実施例２】
【００５２】
以下、図４、図５を参照して、本発明の第２の実施例による、レンズ装置について説明する。図４は、本発明の実施例２における撮像装置のブロック図を示している。なお、図１と同様の構成については同符号を付し、説明を省略する。
【００５３】
図４における通信部３０１とアイリス補正切替部３０２は、アイリス駆動部３０４は、図１の通信部１０１とアイリス補正切替部１０２、アイリス駆動部１０４とほぼ同じ動作をするが、異なる動作をするため別符号を付す。また、異なる部分のみ説明する。
【００５４】
始めにレンズ装置３００及び、カメラ装置４００について説明する。
３０１は通信部、３０２はアイリス補正切替部、１０３はアイリス補正機能設定部、３０４はアイリス駆動部であり、レンズ装置３００に構成される。
【００５５】
通信部３０１は、カメラ装置４００と接続されており、不図示の検出手段によって検出されたアイリス開口位置情報を出力する。
【００５６】
アイリス補正切替部３０２は、アイリス駆動部３０４と接続されており、アイリス補正情報であるアイリス補正状態と、アイリス補正量を出力する。
【００５７】
アイリス駆動部３０４は、通信部３０１と接続されており、現在のアイリス開口の程度を示すアイリス開口位置情報からアイリス補正量を減算することでアイリス補正情報を付加したアイリス開口位置情報を新たに生成し、出力する。
【００５８】
カメラ装置４００は、アイリス開口位置情報から、カメラ装置４００が所望する光量となるようにアイリス制御指令値を生成する。
【００５９】
このように構成することで、カメラ装置４００からのアイリス制御指令値は、通信部３０１を介して、アイリス駆動部３０４へ入力することが可能となる。また、アイリス駆動部３０４は入力されたアイリス制御指令値に従って不図示のアイリスを駆動し、アイリス開口位置情報を生成する。また、レンズ装置３００からのアイリス開口位置情報は、通信部３０１を介して、カメラ装置４００へ入力することが可能となる。従って、レンズ装置３００とカメラ装置４００は相互に情報を交換することが可能となる。
【００６０】
次にアイリス開口位置情報に、アイリス補正情報を付加する効果について説明する。アイリス補正を行ってレンズ装置３００を駆動する場合には、カメラ装置４００からのアイリス制御指令値で制御される位置とは、アイリス補正量だけ異なるアイリス開口位置へ制御される。つまり、そのアイリス補正されたアイリス開口位置情報をカメラ装置４００へ出力すると、アイリス制御指令値とアイリス開口位置情報に乖離が起きる。一方、アイリス補正されたアイリス開口位置情報からアイリス補正量を減算することで、アイリス補正情報を付加した新たなアイリス開口位置情報をカメラ装置４００へ出力すれば、アイリス制御指令値とアイリス開口位置情報に乖離が起きない。
【００６１】
次に、図５のフローチャートを参照して、第２の実施例におけるレンズ装置３００がカメラ装置４００からアイリス制御指令値を受けて、アイリス補正を行い、アイリス開口位置情報を出力する処理について説明する。この処理は、レンズ装置１００に格納されたコンピュータプログラムに従って行われる。
【００６２】
ステップＳ５０１では、アイリス補正切替部３０２が、アイリス補正機能が有効か判断し、有効ならばステップＳ５０２へ進み、そうでなければ、ステップＳ５０４へ進む。
ここでアイリス補正切替部３０２は、アイリス補正機能設定部１０３から入力されたレンズ装置のアイリス補正機能設定情報が有効で、不図示のエクステンダーレンズが挿入されている場合にアイリス補正機能有効と判断する。
【００６３】
ステップＳ５０２では、アイリス補正切替部３０２が、アイリス補正状態をＯＮに設定し、アイリス駆動部３０４へ出力して、ステップＳ５０３へ進む。
【００６４】
ステップＳ５０３では、アイリス補正切替部３０２が、アイリス補正量を生成し、アイリス駆動部１０４へ出力して、ステップＳ５０５へ進む。
【００６５】
ステップＳ５０４では、アイリス補正切替部３０２が、アイリス補正状態をＯＦＦに設定し、アイリス駆動部３０４へ出力して、ステップＳ５０５へ進む。
【００６６】
ステップＳ５０５では、アイリス駆動部３０４が、アイリス補正状態＝ＯＮであることを判断し、判断が正しければ、ステップＳ５０６へ進み、アイリス補正状態＝ＯＦＦであれば、ステップＳ５０６へ進む。
【００６７】
ステップＳ５０６では、アイリス駆動部３０４が、アイリス制御指令値にアイリス補正量を加算して、ステップＳ５０７へ進む。
【００６８】
ステップＳ５０７では、アイリス駆動部３０４が、アイリス制御指令値に基づいて、不図示のアイリスを駆動し、ステップＳ５０８へ進む。
【００６９】
ステップＳ５０８では、アイリス駆動部３０４が、ステップＳ５０７で駆動した後のアイリス開口位置に基づいて、アイリス開口位置情報を生成し、ステップＳ５０９へ進む。
【００７０】
ステップＳ５０９では、アイリス補正状態＝ＯＮであることを判断し、判断が正しければ、ステップＳ５１０へ進み、アイリス補正状態＝ＯＦＦであれば、ステップＳ５１１へ進む。
【００７１】
ステップＳ５１０では、アイリス駆動部３０４が、アイリス開口位置情報からアイリス補正量を減算することで、アイリス補正情報を付加した新たなアイリス開口位置情報を生成し、通信部３０１へ出力して、ステップＳ５１１へ進む。
【００７２】
ステップＳ５１１では、通信部３０１が、アイリス開口位置情報をカメラ装置４００へ出力して、処理を終了する。
【００７３】
以上のフローチャートにより、レンズ装置３００が、カメラ装置４００からのアイリス制御指令値を受けて、アイリスを駆動する。また、アイリス補正状態に応じては、アイリス補正量を生成し、アイリス制御指令値にアイリス補正量を加算することで、アイリス補正を行ってレンズ装置３００を駆動する。その後、生成したアイリス開口位置情報からアイリス補正量を減算してアイリス補正情報を付加した、新たなアイリス開口位置情報（補正位置情報）を生成して、カメラ装置４００へ出力することが可能となる。
【００７４】
以上、ブロック図およびフローチャートで説明したとおり、実施例２に示す撮像装置は、アイリス開口位置情報に付加されたアイリス補正情報によって、アイリス補正情報に対応しないカメラ装置４００においても、アイリス制御指令値とアイリス開口位置情報が乖離することなく、応答性の高いオートアイリス制御が可能となる。
【００７５】
以上、本発明の好ましい実施形態について説明したが、本発明はこれらの実施形態に限定されず、その要旨の範囲内で種々の変形及び変更が可能である。
【符号の説明】
【００７６】
１０１  通信部
１０２  アイリス補正切替部（制御部）
１０３  アイリス機能設定部（制御部）
１０４  アイリス駆動部（制御部、駆動部）
【図１】
0006674254.tif 000002
【図２】
0006674254.tif 000003
【図３】
0006674254.tif 000004
【図４】
0006674254.tif 000005
【図５】
0006674254.tif 000006